(57)【要約】【課題】  安価に製造でき、風に飛ばされ難い透水性防草シートの提供。【解決手段】  育苗ポット１に収納された土２の表面を被覆する柔軟な透水性防草シートにおいて、シート本体３の周縁部４が育苗ポット１の外周より大に形成され、その周縁部４には周方向に離間して、育苗ポットの中心部に対して外側に突出した舌部５を複数形成しておく。その各舌部５を、育苗ポット１の内周と収納される土２との隙間に挿入することで、防草シートを固定することができるものである。【選択図】図１
2020145982.tif 000002
【特許請求の範囲】
【請求項１】
育苗ポット（１）または、囲み枠（１ａ）に収納された土（２）の表面を被覆する柔軟な透水性防草シートにおいて、
シート本体（３）の周縁部（４）が育苗ポット（１）または、囲み枠（１ａ）の外周より大に形成され、
その周縁部（４）には周方向に離間して、育苗ポット（１）または前記囲み枠（１ａ）の中心部に対して外側に突出した舌部（５）を複数有し、
その各舌部（５）が、育苗ポット（１）または前記囲み枠（１ａ）の内周と、収納される土（２）との隙間に挿入されることを特徴とする透水性防草シート。
【請求項２】
防草の対象である育苗ポット（１）は、その平面内に互いに離間して複数の凹陥したセグメント（６）が区画され、各セグメント（６）の境界に仕切部（７）が平面に形成され、
前記シート本体（３）は、その外周が育苗ポット（１）より外側に大きく広がり、前記仕切部（７）を除く位置から、複数の前記各舌部（５）が前記平面の外側に延在したことを特徴とする請求項１に記載の透水性防草シート。
【請求項３】
前記シート本体（３）の各舌部（５）の前記外側の縁の幅方向の中間位置から、各セグメント（６）の中心位置に向けて中央切り込み（８）が形成され、
前記シート本体（３）の平面上で、各セグメント（６）の外側にセグメント（６）の切取用の切取案内線（１５）が予め形成されたことを特徴とする請求項２に記載の透水性防草シート。
【請求項４】
前記シート本体（３）は、シート本体（３）の周方向に互いに離間して、その縁から中心部に向かう複数の縁部切り込み（９）を周縁に有し、隣合う切り込み（９）間に前記舌部（５）が形成され、そのうち一つの舌部（５）の縁から中心まで達する中心切り込み（１０）を形成したことを特徴とする請求項１に記載の透水性防草シート。
【発明の詳細な説明】
【技術分野】
【０００１】
街路樹、若しくは育苗のための透水性防草シートに関する。
【背景技術】
【０００２】
従来、植物栽培用の防草シートとして、下記特許文献１及び特許文献２のものが知られている。
各特許文献に記載された防草シートは、運ばれてきた雑草の種が、植物栽培用の植木鉢に入れられた土壌に直接付着しないように、円形のカバーを土壌表面に被覆するものである。
【先行技術文献】
【特許文献】
【０００３】
【特許文献１】特開２００８−２８９４５７号公報
【特許文献２】特開２００２−１４２５６９号公報
【発明の概要】
【発明が解決しようとする課題】
【０００４】
しかしながら、特許文献１の防草シートは、そのシートを土壌に被覆した状態で、土壌に固定されないものであるため、風が吹くとそのシートが飛ばされてしまうおそれがあった。その際に、植物を傷つけるおそれもある。また、複数の材質のシートを重ねて縫い付けているため、製造に手間がかかるものである。
特許文献２の防草シートは、風でシートを飛ばされないようにするため、シートの外周縁に金属製のリングを付設している。この防草シートは、リングを付設する製造上の手間がかかるとともに、コストがかさむ要因となる。
本発明は、上記従来技術の持つ問題を解決するため、低コストで製造できると共に、簡単な構造でシートを土壌表面に固定できる防草シートを提供する。
【課題を解決するための手段】
【０００５】
請求項１に記載の発明は、育苗ポット１または、囲み枠１ａに収納された土２の表面を被覆する柔軟な透水性防草シートにおいて、
シート本体３の周縁部４が育苗ポット１または、囲み枠１ａの外周より大に形成され、
その周縁部４には周方向に離間して、育苗ポット１または前記囲み枠１ａの中心部に対して外側に突出した舌部５を複数有し、
その各舌部５が、育苗ポット１または前記囲み枠１ａの内周と、収納される土２との隙間に挿入されることを特徴とする透水性防草シートである。
【０００６】
請求項２に記載の発明は、防草の対象である育苗ポット１は、その平面内に互いに離間して複数の凹陥したセグメント６が区画され、各セグメント６の境界に仕切部７が平面に形成され、
前記シート本体３は、その外周が方形の育苗ポット１より外側に大きく広がり、前記仕切部７を除く位置から、複数の前記各舌部５が前記平面の外側に延在したことを特徴とする請求項１に記載の透水性防草シートである。
【０００７】
請求項３に記載の発明は、前記シート本体３の各舌部５の前記外側の縁の幅方向の中間位置から、各セグメント６の中心位置に向けて中央切り込み８が形成され、
前記シート本体３の平面上で、各セグメント６の外側に、セグメント６に適合する大きさに切り取るための切取案内線１５が予め形成されたことを特徴とする請求項２に記載の透水性防草シートである。
【０００８】
請求項４に記載の発明は、前記シート本体３は、シート本体３の周方向に互いに離間して、その縁から中心部に向かう複数の縁部切り込み９を周縁に有し、隣合う切り込み９間に前記舌部５が形成され、そのうち一つの舌部５の縁から中心まで達する中心切り込み１０を形成したことを特徴とする請求項１に記載の透水性防草シートである。
【発明の効果】
【０００９】
請求項１に記載の発明は、シート本体３の周縁部４が育苗ポット１または前記囲み枠１ａの外周より大に形成され、その周縁部４に外側に突出した舌部５を複数有し、その各舌部５が、育苗ポット１または前記囲み枠１ａの内周と収納される土２との隙間に挿入されるものである。
この舌部５の存在により、シート本体３の舌部５を育苗ポット１又は囲み枠１ａと土２との境に挿入して、シート本体３を土２に容易に止着することができる。それによりシートを安定して土の表面に保持し、植物の花粉等が土の表面に付着して、草が生えることを防止できる。
またこのシート本体３は透水性であるので、シートの表面から植物の水やりができる。
【００１０】
請求項２に記載の発明は、防草の対象となる育苗ポット４の平面内に互いに離間して複数の凹陥したセグメント６が区画され、各セグメント６の境界に仕切部７が形成され、シート本体３は、その仕切部７を除く位置から、複数の前記各舌部５が平面の外側に延在するものである。
この発明によれば、各舌部５を育苗ポット１の各セグメント６と土２との境に挿入することにより、複数のセグメントを同時に被覆して広い範囲を防草することができる。
また、セグメント６の仕切部７を除く位置から、各舌部５が前記平面の外側に延在したので、仕切部７に邪魔されることなく、各舌部５をセグメント６と土２との境に容易に挿入でき、作業性がよい。
【００１１】
請求項３に記載の発明は、シート本体３の各舌部５の外側の縁の幅方向の中間位置から、セグメント６の中心位置に向かう中央切り込み８が形成されているので、既にある程度育成された苗などにシート本体３を被覆する時、その中央切れ込み８を拡げて苗を容易に配置することができる。
また、各セグメント６の外側に切り取り用の切取案内線１５が予め形成されたものであるから、セグメントのシートを部分的に分離して切り離すことができる。それにより、各植物をセグメントから分離して取出し、残りのシート部分を他のセグメントと土との間に挿入できる。
【００１２】
請求項４に記載の発明は、シート本体３の周方向に互いに離間して、その縁から中心部に向かう複数の縁部切り込み９を周縁に有し、隣合う切り込み９間に舌部５が形成され、その内一つの舌部５の縁から中心まで達する中心切り込み１０を形成したものである。
この発明によれば、育苗ポットまたは囲み枠１ａの表面の防草をシンプルなシートで迅速且つ、効果的に行える。
また、中央切れ込み１０により、既にある程度育成された苗などにシート本体３を被覆する時、その中央切れ込み１０を拡げて苗を容易に配置することができる。
【図面の簡単な説明】
【００１３】
【図１】本発明の透水性防草シートの第１実施例であり、そのシート本体３を育苗ポット１に取付ける前の斜視図。
【図２】同第１実施例のシート本体３の平面図（Ａ）、及びそのシートの一部を切り取った平面図（Ｂ）。
【図３】図１のシート本体３を育苗ポット１に取付方法を示す斜視説明図。
【図４】図１のシート本体３を育苗ポット１に取付けた状態を示す斜視図。
【図５】本発明の透水性防草シートの第２実施例の平面図。
【図６】同第２実施例の使用方法を示す説明図。
【図７】本発明の透水性防草シートの第３実施例であり、使用状態を示す断面図。
【図８】同第３実施例の平面図。
【図９】同第３実施例の使用状態を示す斜視図。
【図１０】本発明の透水性防草シートの第４実施例の平面図。
【発明を実施するための形態】
【００１４】
次に、図面に基づいて、本発明の実施の形態につき説明する。
【実施例１】
【００１５】
図１〜図４は、本発明の第１実施例を示す。
この第１実施例では、図１に示す如く、防草の対象である育苗ポット１の平面が、方形に形成されており、その平面内に互いに離間して複数の凹陥したセグメント６が区画されている。この例では、セグメント６は２列×３行の合計６つのセグメント６が設けられている。そして、各セグメント６の境界には、仕切部７が平面に形成されている。この育苗ポット１には土２が収納されており、その土２の表面には、雑草が生えるのを防止するために、柔軟な透水性の防草シートが被覆される。
【００１６】
この防草シートは、図１に示す如く、シート本体３の周縁部４が育苗ポット１の外周縁より大に形成されている。その周縁部４には、図２（Ａ）に示す如く、周方向に離間して、育苗ポット１の中心部に対して外側に突出した舌部５を複数有している。
図１及び図２（Ａ）に示す如く、シート本体３の外周が方形の育苗ポット１より外側に大きく広がり、その育苗ポット１の仕切部７を除く外周縁の位置から、シート本体３の複数の各舌部５が育苗ポット１の平面から外側に延在している。シート本体３の大きさや形状は、育苗ポット１の各セグメント６の配列により、変化する。
このシート本体３の各舌部５には、その外側の縁の幅方向の中間位置から、各セグメント６の中心位置に向けて中央切り込み８が形成されている。
【００１７】
この例では、シート本体３の平面上で、各セグメント６の外側に沿って、セグメント６に適合する大きさに切り取るための切取案内線１５が、予めミシン目などにより形成されている。
この例では、この切取案内線１５は、図１〜図４に示す如く、育苗ポット１の仕切部７に沿って形成されている。そして、隣接するセグメント６の仕切部７を跨ぐように、離間して残部舌片１５ａとなる部分が、その切取案内線１５により形成されている。
このシート本体３に透水性をもたせるために、不織布を加工することにより製造することができる。不織布を加工するのみで製造することができるので、安価に製造することができる。
【００１８】
図３は、本願発明の防草シートの使用方法を示している。
育苗ポット１の各セグメント６には、図１に示すように、土２が収納されるとともに、育苗ポット１にシート本体３を被覆し、各セグメント６の土２の表面を被覆する。このとき、図３（Ａ）の右側に示すように、各舌部５が育苗ポット１の外周縁から外方に飛び出す。
そこで、その外方に飛び出している各舌部５を、図３（Ａ）（Ｂ）に示すように、ヘラ１１を使用して、育苗ポット１の内周に沿って、育苗ポット１の内周と収納される土２との間に挿入する。図４は、シート本体３のすべての舌部５が挿入された状態を示している。
【００１９】
舌部５は、図３（Ｂ）の左側のセグメント６に示すように、セグメント６の深さ方向の一例として半分程度に達するような長さを有することが望ましい。この程度の深さまで舌部５を埋め込むことにより、シート本体３を土２に確実に止着し、ある程度の強風でも、シート本体３が飛ばされることを防止できる。それにより、シートを安定して土の表面に保持し、植物の花粉等が土の表面に付着して、草が生えることを防止できる。
【００２０】
また、セグメント６の仕切部７を除く位置から、各舌部５が前記平面の外側に延在したので、仕切部７に邪魔されることなく、各舌片５をセグメント６と土２との境に容易に挿入でき、作業性がよい。つまり、各舌部５を育苗ポット１の各セグメント６と土２との境に挿入することにより、複数のセグメントを同時に被覆して広い範囲を同時に防草することができる。
次いで、各セグメント６の中央部に植物の種を植える。セグメント６の中央部に種が植えられるように、予めシート本体３には、シート本体３の中央切り込み８につながる挿通部１２が形成されている。
【００２１】
そして、図４のように植物が成長して、挿通部１２から芽１３が出てきたら、図２（Ｂ）に示す如く、シート本体３の芽１３が出てきたセグメントの位置にある切取案内線１５に沿って、部分的に分離して切り離すことができる。そして、各植物をセグメント６から分離して取り出すことができる。
切り離して残ったシート本体３には、図２（Ｂ）のように、残部舌片１５ａが形成され、その残部舌片１５ａを他のセグメント６の内周と土２との間に挿入できる。
なお、この例の育苗ポット１は平面が方形に形成されているが、平面が円形や多角形に形成され、各セグメント６が略扇型に形成されるような育苗ポットであっても良い。育苗ポットの形状は限定されるものではなく、その育苗ポットの形状、仕切部７の配置などに合わせてシート本体３の形状及び切取案内線１５の位置等を変更することができる。
【実施例２】
【００２２】
図５及び図６は、本発明の第２実施例を示す。
この第２実施例では、図６に示す如く、防草の対象である育苗ポット１は、その平面が円形に形成されている、植木鉢のようなものである。この育苗ポット１にも土２が収納されており、その土２の表面には、第１実施例と同様、柔軟な透水性防草シートが被覆される。
この防草シートのシート本体３は、図５に示す如く、その平面が略円形に形成され、周方向に互いに離間して、その縁から中心部に向かう複数の縁部切り込み９を周縁に有し、隣合う縁部切り込み９間に舌部５が形成され、そのうち一つの舌部５の縁から中心まで達する中心切り込み１０が形成されている。その中心切り込み１０は、挿通部１２まで達しており、この例では第１実施例と異なり、挿通部１２には植物の芽１３が相通しやすいように、シート本体３の中心部に孔が設けられている。シート本体３の舌部５の埋込みは、第１実施例と同様に、図６（Ａ）の被覆、（Ｂ）の舌部５の埋込を経て、（Ｃ）のように、土２の表面を覆うことになる。このシートにより、平面円形の育苗ポットの表面の防草をシンプルなシートで迅速且つ、効果的に行える。次いで、シート本体の中央に植物を植える。
【実施例３】
【００２３】
図７〜図９は、本発明の第３実施例を示す。
この例では、縁部切り込み９及び舌部５の関係は、第２実施例と同じである。
この例が、第２実施例と異なる点は、防草シートの設置対象が街路樹の囲み枠１ａである点、シート本体３が囲み枠１ａの形状に合わせて成型されている点、そして、この例では、中心切れ込み１０につながる挿通部１２に孔は設けられていない（第１実施例と同様に、挿通部１２に放射状切れ込みが形成されるものである。）。このように、植物の芽や幹の挿通部１２の形状は任意である。
この例でも、舌部５を土２と囲み枠１ａの内周との間に挿入して固定し、図９のように、シート本体３を土壌の表面に固定する。図７はその断面図である。なお、囲み枠１ａは図９の平面形状に限られるものではない。
この囲み枠１ａ用のシート本体３は、図１０のように、中心切れ込み１０を複数成形し、１枚の防草シートで複数本の街路樹の幹１４に付設することも可能である。
【符号の説明】
【００２４】
１  育苗ポット
１ａ  囲み枠
２  土
３  シート本体
４  周縁部
５  舌部
６  セグメント
７  仕切部
８  中央切り込み
９  縁部切り込み
１０  中心切り込み
１１  ヘラ
１２  挿通部
１３  芽
１４  幹
１５  切取案内線
１５ａ  残部舌片
【図１】
2020145982.tif 000003
【図２】
2020145982.tif 000004
【図３】
2020145982.tif 000005
【図４】
2020145982.tif 000006
【図５】
2020145982.tif 000007
【図６】
2020145982.tif 000008
【図７】
2020145982.tif 000009
【図８】
2020145982.tif 000010
【図９】
2020145982.tif 000011
【図１０】
2020145982.tif 000012